(57)【要約】【課題】既存の方法では、フレーム単位で表示輝度を可変制御できなかったり、画像処理で可変できる範囲内でしか表示画面の強調処理を実行することしかできない。【解決手段】アクティブマトリクス駆動型の自発光表示モジュールの駆動条件制御装置として、（ａ）階調情報の推移を監視する階調推移監視部と、（ｂ）フレーム画面の最大階調値が連続的に上昇する強調画面の検出時、最大階調値の上昇に連動してピーク輝度レベルを上昇させるように駆動条件を制御する強調動作制御部とを有するものを提案する。【選択図】図１
2008158400.tif 000002
【特許請求の範囲】
【請求項１】
アクティブマトリクス駆動型の自発光表示モジュールの駆動条件を制御する駆動条件制御装置において、
階調情報の推移を監視する階調推移監視部と、
フレーム画面の最大階調値が連続的に上昇する強調画面の検出時、最大階調値の上昇に連動してピーク輝度レベルを上昇させるように駆動条件を制御する強調動作制御部と
を有することを特徴とする駆動条件制御装置。
【請求項２】
請求項１に記載の駆動条件制御装置において、
前記階調推移監視部は、
周期的にフレーム画面の最大階調値を検出する最大階調値検出部と、
直前回に検出された最大階調値と今回検出された最大階調値との差分値を算出する最大階調差分算出部とを更に有し、
前記強調動作制御部は、
少なくとも直近２回分の差分値が同等値である場合、強調画面が出現したと判定する対象画像検出部と
を有することを特徴とする駆動条件制御装置。
【請求項３】
請求項２に記載の駆動条件制御装置において、
前記階調推移監視部は、
周期的にフレーム画面の平均階調値を検出する平均階調値検出部と、
直前回に検出された平均階調値と今回検出された平均階調値との差分値を算出する平均階調差分算出部とを更に有し、
前記強調動作制御部は、
最大階調値についての直近２回分の差分値がいずれもゼロ値の近傍範囲であり、かつ、平均階調値についての直近１回分の差分値がゼロ値の近傍範囲である場合、直前回に設定したピーク輝度レベルを維持するように駆動条件を制御し、その他の場合、駆動条件を標準値に制御する
ことを特徴とする駆動条件制御装置。
【請求項４】
請求項１に記載の駆動条件制御装置において、
前記強調動作制御部は、フレーム内の発光期間割合の可変制御によりピーク輝度レベルを変更する
ことを特徴とする駆動条件制御装置。
【請求項５】
請求項１に記載の駆動条件制御装置において、
前記強調動作制御部は、自発光表示モジュールのデータ線に印加する電圧値のダイナミックレンジの可変制御によりピーク輝度レベルを変更する
ことを特徴とする駆動条件制御装置。
【請求項６】
アクティブマトリクス駆動型の自発光表示モジュールの駆動条件制御装置において、
外部から入力されるアプリケーション情報に基づいて階調情報の推移を監視する階調推移監視部と、
フレーム画面の最大階調値が連続的に上昇する強調画面の検出時、最大階調値の上昇に連動してピーク輝度レベルを上昇させるように駆動条件を制御する強調動作制御部と
を有することを特徴とする駆動条件制御装置。
【請求項７】
アクティブマトリクス駆動型の画素構造を有する自発光表示モジュールと、
階調情報の推移を監視する階調推移監視部と、
フレーム画面の最大階調値が連続的に上昇する強調画面の検出時、最大階調値の上昇に連動してピーク輝度レベルを上昇させるように駆動条件を制御する強調動作制御部と
を有することを特徴とする自発光表示装置。
【請求項８】
請求項７に記載の自発光表示装置において、
各画素がエレクトロルミネセンス素子で構成される
ことを特徴とする自発光表示装置。
【請求項９】
アクティブマトリクス駆動型の画素構造を有する自発光表示モジュールと、
外部から入力されるアプリケーション情報に基づいて階調情報の推移を監視する階調推移監視部と、
フレーム画面の最大階調値が連続的に上昇する強調画面の検出時、最大階調値の上昇に連動してピーク輝度レベルを上昇させるように駆動条件を制御する強調動作制御部と
を有することを特徴とする自発光表示装置。
【請求項１０】
アクティブマトリクス駆動型の画素構造を有する自発光表示モジュールと、
階調情報の推移を監視する階調推移監視部と、
フレーム画面の最大階調値が連続的に上昇する強調画面の検出時、最大階調値の上昇に連動してピーク輝度レベルを上昇させるように駆動条件を制御する強調動作制御部と、
システム制御部と
を有することを特徴とする電子機器。
【請求項１１】
アクティブマトリクス駆動型の画素構造を有する自発光表示モジュールと、
外部から入力されるアプリケーション情報に基づいて階調情報の推移を監視する階調推移監視部と、
フレーム画面の最大階調値が連続的に上昇する強調画面の検出時、最大階調値の上昇に連動してピーク輝度レベルを上昇させるように駆動条件を制御する強調動作制御部と、
システム制御部と
を有することを特徴とする電子機器。
【請求項１２】
アクティブマトリクス駆動型の自発光表示モジュールの駆動条件を制御する駆動条件制御方法において、
階調情報の推移を監視する処理と、
フレーム画面の最大階調値が連続的に上昇する強調画面の検出時、最大階調値の上昇に連動してピーク輝度レベルを上昇させるように駆動条件を制御する処理と
を有することを特徴とする駆動条件制御方法。
【請求項１３】
アクティブマトリクス駆動型の自発光表示モジュールの駆動条件を制御する駆動制御方法において、
外部から入力されるアプリケーション情報に基づいて階調情報の推移を監視する処理と、
フレーム画面の最大階調値が連続的に上昇する強調画面の検出時、最大階調値の上昇に連動してピーク輝度レベルを上昇させるように駆動条件を制御する処理と
を有することを特徴とする駆動条件制御方法。
【請求項１４】
アクティブマトリクス駆動型の自発光表示モジュールの駆動条件を制御するコンピュータに、
階調情報の推移を監視する処理と、
フレーム画面の最大階調値が連続的に上昇する強調画面の検出時、最大階調値の上昇に連動してピーク輝度レベルを上昇させるように駆動条件を制御する処理と
を実行させることを特徴とするコンピュータプログラム。
【請求項１５】
アクティブマトリクス駆動型の自発光表示モジュールの駆動条件を制御するコンピュータに、
外部から入力されるアプリケーション情報に基づいて階調情報の推移を監視する処理と、
フレーム画面の最大階調値が連続的に上昇する強調画面の検出時、最大階調値の上昇に連動してピーク輝度レベルを上昇させるように駆動条件を制御する処理と
を実行させることを特徴とするコンピュータプログラム。
【発明の詳細な説明】
【技術分野】
【０００１】
この明細書で説明する発明は、アクティブマトリクス駆動型の自発光表示モジュールの駆動制御技術に関する。なお、ここでの発明は、駆動条件制御装置、自発光表示装置、電子機器、駆動条件制御方法及びコンピュータプログラムとしての側面を有する。
【背景技術】
【０００２】
現在、多くの電子機器にフラット型の液晶ディスプレイが多く採用されている。液晶ディスプレイは、バックライトの輝度を制御することにより、画面輝度を可変することができる。しかし、液晶ディスプレイの場合、フレーム周波数に相当する高速度での輝度制御は一般に困難である。
【発明の開示】
【発明が解決しようとする課題】
【０００３】
現在、以下に示すような輝度制御技術が検討されている。
【特許文献１】特開平８−３２０６７９号公報  この特許文献には、表示内容（ＰＣ作業や動画表示等の異なった性質の画像）に応じて選択された表示領域の品質を改善する輝度可変技術が開示されている。すなわち、選択領域の内側と外側で異なる表示輝度を適用する仕組みが開示されている。
【０００４】
しかし、開示された輝度可変技術ではフレーム単位で表示輝度を可変制御できない。また、特定の表示内容の入力時に限り、表示領域全体の輝度を強調的に可変制御する仕組みも開示されていない。
【０００５】
【特許文献２】特開２００４−３０９９３７号公報
【特許文献３】特開２００５−５２１９０４号公報  これらの特許文献には、バックライトの発光輝度を上げる一方で、強調表示させたくない領域の映像信号レベルを下げることで光学的なコントラスト比を向上させる表示技術が開示されている。
【０００６】
これら特許文献の場合も、フレーム単位で表示輝度を可変制御できない。また、特定の表示内容の入力時に限り、表示領域全体の輝度を強調的に可変制御する仕組みも開示されていない。
【０００７】
【特許文献４】特開２００４−１７２８７９号公報  この特許文献には、被写体画像の状態やユーザーの指定により撮像時に設定された領域を強調するように画像データを処理する仕組みが開示されている。  しかし、この処理技術では、画像処理で可変可能な範囲内でしか輝度レベルを可変することができなかった。
【課題を解決するための手段】
【０００８】
そこで、発明者は、アクティブマトリクス駆動型の自発光表示モジュールの駆動条件制御装置として、（ａ）階調情報の推移を監視する階調推移監視部と、（ｂ）フレーム画面の最大階調値が連続的に上昇する強調画面の検出時、最大階調値の上昇に連動してピーク輝度レベルを上昇させるように駆動条件を制御する強調動作制御部とを有するものを提案する。
【０００９】
また、発明者は、アクティブマトリクス駆動型の自発光表示モジュールの駆動条件制御装置として、（ａ）外部から入力されるアプリケーション情報に基づいて階調情報の推移を監視する階調推移監視部と、（ｂ）フレーム画面の最大階調値が連続的に上昇する強調画面の検出時、最大階調値の上昇に連動してピーク輝度レベルを上昇させるように駆動条件を制御する強調動作制御部とを有するものを提案する。
【発明の効果】
【００１０】
発明者の提案する発明の場合、機器の立ち上げ時やコンテンツのオープニング画面等で用いられる次第に明るさを増すロゴ等の表示を強調し、ユーザーの印象を一段と高めることができる。
【発明を実施するための最良の形態】
【００１１】
以下、発明をアクティブマトリクス駆動型の有機ＥＬディスプレイ装置（自発光表示装置）に適用する場合に好適な駆動制御例を説明する。
なお、本明細書で特に図示又は記載されない部分には、当該技術分野の周知又は公知技術を適用する。
また以下に説明する形態例は、発明の一つの形態例であって、これらに限定されるものではない。
【００１２】
（Ａ）形態例１
（Ａ−１）有機ＥＬディスプレイ装置の機能構成
図１に、有機ＥＬディスプレイ装置１の機能構成を示す。有機ＥＬディスプレイ装置１は、有機ＥＬパネルモジュール３及び駆動条件制御部５で構成される。
【００１３】
有機ＥＬパネルモジュール３は、画素をパネル解像度に応じてマトリクス状に配置した有機ＥＬパネル１１とドライバＩＣブロック１３で構成される。
このうち、有機ＥＬパネル１１はカラー表示用であり、画素は発光色別に配置される。
【００１４】
ただし、画素が複数色の発光層を積層した構造の有機ＥＬ素子の場合、１つの画素が複数の発光色に対応する。
【００１５】
図２に、有機ＥＬパネル１１を構成する画素構造を示す。画素１５は、スイッチ素子Ｔ１、キャパシタＣ、電流ドライブ素子Ｔ２、デューティ制御素子Ｔ３及び有機ＥＬ素子Ｄで構成される。
【００１６】
スイッチ素子Ｔ１は、データ線ＤＬに印加された信号電圧ＶinのキャパシタＣへの書き込みを制御するトランジスタである。書き込み許可信号は、走査線ドライバ（ドライバＩＣブロック１３）から走査線ＷＬを通じて供給される。
【００１７】
キャパシタＣは、各画素に対応する信号電圧Ｖinを１フレームの間保持する記憶素子である。キャパシタＣを用いることで、信号電圧Ｖinの書き込みが線順次に実行される場合でも、面順次走査方式で書き込まれる場合と同様の発光態様が実現される。
【００１８】
電流ドライブ素子Ｔ２は、キャパシタＣに保持されている信号電圧Ｖinに応じた駆動電流を有機ＥＬ素子Ｄに供給するトランジスタである。ここでの駆動電流値は、電流ドライブ素子Ｔ２のゲートソース間に印加される電圧Ｖgsにより定まる。
【００１９】
デューティ制御素子Ｔ３は、有機ＥＬ素子Ｄの１フレーム内の点灯時間割合（デューティ）を制御するトランジスタである。デューティ制御素子Ｔ３は、有機ＥＬ素子Ｄに対して直列に接続されており、オンオフ制御により有機ＥＬ素子Ｄに対する駆動電流の供給と停止を制御する。
【００２０】
なお、デューティ制御素子Ｔ３の制御信号は、デューティ線制御ドライバ（ドライバＩＣブロック１３）からデューティ制御線ＤＴＬを通じて供給される。
図３に、デューティ制御信号の信号波形と有機ＥＬ素子Ｄの点灯・非点灯状態との関係を示す。
【００２１】
図３（Ａ）は、１フレーム期間を与える垂直同期信号である。図３（Ｂ）は、表示モジュールで設定された標準的な点灯時間割合α％に対応するデューティ制御信号の波形である。図３（Ｃ）は、ロゴ等の輝度が連続的に上昇する場合（強調表示時）に使用する点灯時間割合β％に対応するデューティ制御信号の波形である。
【００２２】
この形態例の場合、デューティ制御素子Ｔ３がＰチャネル型のＦＥＴであるので、デューティ制御信号のＬレベル期間が点灯時間を表し、Ｈレベル期間が消灯時間を表す。なお、点灯時間割合α％及びβ％は、１フレーム期間長を１００％として表現している。
【００２３】
因みに、強調表示時における点灯時間割合β％は、強調表示時に検出される各フレーム画像の最大階調値Ｄmax(n)に応じてα％以上１００％以下の範囲で決定される。決定方法については後述する。
【００２４】
有機ＥＬパネル１１の場合、画面輝度は点灯時間長に比例する。従って、点灯時間長の可変制御は、表示画面の物理的なピーク輝度を可変制御するのと同じである。
図４に、ドライバＩＣブロック１３の機能構成を示す。
【００２５】
ドライバＩＣブロック１３は、タイミングジェネレータ３１と、データ線ドライバ３３と、走査線ドライバ３５と、デューティ線制御ドライバ３７により構成される。
このうち、タイミングジェネレータ３１は、ドライバ駆動用のタイミングパルスを発生する回路である。
【００２６】
データ線ドライバ３３は、水平同期信号に同期したタイミングで書き込み対象である走査線上の各画素の映像信号Ｖinをデータ線ＤＬに印加する処理を実行する。走査線ドライバ３５は、水平同期信号に同期したタイミングで１ラインずつ走査線に書き込み許可信号を印加する処理を実行する。
【００２７】
デューティ線制御ドライバ３７は、駆動条件制御部５から与えられるデューティ制御信号Ｓd を有機ＥＬパネル１１の駆動に適した電圧レベルに昇圧してデューティ制御信号線ＤＴＬに印加する処理を実行する。なお、強調表示の実行時以外においては、デューティ制御信号の点灯時間長は標準的な点灯時間割合α％に固定されている。
【００２８】
駆動条件制御部５は、機器立ち上げ時やコンテンツのオープニング画面等に表示されることの多い表示画面内の一部又は全体が徐々に明るくなる強調画面を検出し、当該画面の表示中だけ有機ＥＬパネルモジュール３の駆動条件を変更する制御動作を実行する処理デバイスである。
【００２９】
具体的には、駆動条件制御部５は、メーカーロゴやタイトルロゴ等が徐々に浮き上がってくるような画面表示の入力を検出し、この浮き上がり表示による輝度変化を強調する制御動作を実行する。すなわち、高いコントラスト感や眩しさ感の改善処理を実行する。結果的に、商品名やメーカー名等のロゴをユーザーに印象づけることができる他、有機ＥＬパネル１１自体の印象度を高めることができる。
【００３０】
この効果の実現のため、駆動条件制御部５は、階調推移監視部２１及び強調動作制御部２３で構成する。
図５に、階調推移監視部２１の内部構成を示す。階調推移監視部２１は、最大階調値推移監視部４１及び平均階調値推移監視部４３で構成される。
【００３１】
最大階調値推移監視部４１は、１〜数フレーム程度の一定間隔でフレーム内の最大階調値Ｄmax を検出し、直前回に検出された最大階調値Ｄmax との差分値ΔＤmax を算出する処理を実行する。
【００３２】
平均階調値推移監視部４３は、やはり１〜数フレーム程度の一定間隔でフレーム内の平均階調値Ｄapl を検出し、直前回に検出された平均階調値Ｄapl との差分値ΔＤapl を算出する処理を実行する。なお、平均階調値推移監視部４３の検出周期は、最大階調値推移監視部４１の検出周期と同じである。
【００３３】
図６に、最大階調値推移監視部４１の内部構成を示す。最大階調値推移監視部４１は、フレーム内最大階調値検出部５１、レジスタ５３、差分値算出部５５及びレジスタ５７、５９で構成する。
【００３４】
フレーム内最大階調値検出部５１は、検出タイミング毎にフレーム画像を構成する各画素の階調値の最大階調値Ｄmax を検出する処理デバイスである。なお、１つの画素が複数個の単色画素で構成される場合、フレーム内最大階調値検出部５１は、グレー変換後の階調値について最大階調値Ｄmax を検出する。
【００３５】
レジスタ５３は、検出された最大階調値Ｄmax を次回の検出タイミングまで保持する記憶素子である。なお、レジスタ５３の記憶値の更新は、差分値算出部５５の演算終了後に実行される。
【００３６】
差分値算出部５５は、直前回に検出された最大階調値Ｄmax と最新回に検出された最大階調値との差分ΔＤmax を算出する演算器である。
レジスタ５７及び５９は、算出された最大階調値の差分ΔＤmax を２回分保持する記憶素子である。ここで、レジスタを２段分用意するのは、直近２回分の差分ΔＤmax を用いて強調画面の出現を検出するためである。
【００３７】
図７に、平均階調値推移監視部４３の内部構成を示す。平均階調値推移監視部４３は、フレーム内平均階調値検出部６１、レジスタ６３、差分値算出部６５及びレジスタ６７で構成する。
【００３８】
フレーム内平均階調値検出部６１は、検出タイミング毎にフレーム画像を構成する各画素の平均階調値を検出する処理デバイスである。なお、１つの画素が複数個の単色画素で構成される場合、フレーム内平均階調値検出部６１は、グレー変換後の階調値について平均階調値Ｄapl を検出する。
【００３９】
レジスタ６３は、検出された平均階調値Ｄapl を次回の検出タイミングまで保持する記憶素子である。なお、レジスタ５３の記憶値の更新は、差分値算出部６５の演算終了後に実行される。
【００４０】
差分値算出部６５は、直前回に検出された平均階調値Ｄapl と最新回に検出された平均階調値Ｄapl との差分ΔＤapl を算出する演算器である。
レジスタ６７は、算出された平均階調値の差分ΔＤapl を保持する記憶素子である。
【００４１】
強調動作制御部２３は、階調推移監視部２１で検出された最大階調値Ｄmax(n)と、差分ΔＤmax(n-1)、ΔＤmax(n)と、平均階調値の差分ΔＤapl とに基づいて駆動条件を確定し、ドライバＩＣブロック１３に供給するデューティ制御信号を生成する処理デバイスである。
【００４２】
図８に、強調動作制御部２３で実行される判定処理の内容を示す。
まず、強調動作制御部２３は、最大階調値について検出された２つの差分ΔＤmax(n-1)及びΔＤmax(n)がいずれも正値であると共に両値がほぼ同じであるか否かを判定する（Ｓ１、Ｓ２）。
【００４３】
この２つの判定条件を満たすことは、最大階調値の増加が一定比率で２回以上継続することを意味する。ここで、「ほぼ同じ」であるか否かを判定するのは、階調値の増加は直線的（一定比率）である場合だけでなく、曲線的に増加する場合も考慮に入れるためである。従って、判定処理Ｓ１では、ある程度の誤差を考慮して差分ΔＤmax(n-1)とΔＤmax(n) の一致判定を実行する。
【００４４】
判定処理Ｓ１及びＳ２の両方で肯定結果が得られた場合、強調動作制御部２３は、次式に基づいて点灯時間割合β(n) ％を決定する（Ｓ３）。
β(n) ＝α＋(100−α)×Ｄmax(n)／255（８ビット階調の場合）
ここで、β(n) ％は、フレームｎの点灯時間割合を意味する。また、α％は、標準的な点灯時間割合を意味する。
【００４５】
この式は、通常は使用されることのない点灯時間割合 100−α％を、入力され得る最大階調値
255（８ビット階調）に占める現フレームの最大階調値Ｄmax の比率分だけ利用することにより、標準的な点灯時間割合αよりも点灯時間長を増加させることを意味する。
【００４６】
このように点灯時間割合β(n) ％を決定することにより、強調表示中における最大階調値Ｄmax の増加に連動してピーク輝度レベルを加速的に増加することができる。
なお、前式により点灯時間割合β(n) を拡大した後のピーク輝度レベルは、標準的なピーク輝度レベルの｛α＋(100−α)×Ｄmax(n)／255｝／α倍となる。
【００４７】
例えば標準的な点灯時間割合αが５０％の場合にあって、現フレームの最大階調値Ｄmax(n)が 255（８ビット階調）のとき、画面上のピーク輝度レベルは標準的なピーク輝度レベルの２倍に持ち上げることが可能になる。
【００４８】
これに対し、判定処理Ｓ１又はＳ２で否定結果が得られた場合（すなわち最大階調値がある一定の比率で継続的に増加していると判定できない場合（変化が無い場合や一定比率で最大階調値が減少する場合も含む。）、強調動作制御部２３は、平均階調値の差分ΔＤapl がほぼ０であるか否かを判定する（Ｓ４）。
【００４９】
この判定動作は、最大階調値Ｄmax が一定の比率で増加しない表示画像が静止画像か動画像かを判定する動作を意味する。
静止画像であると判定された場合、強調動作制御部２３は、直前回の検出タイミングにおける点灯時間割合を維持する（Ｓ５）。すなわち、β(n) ＝β(n-1) に設定する。
【００５０】
なお、「ほぼ０」というように判定に幅を持たせるのは、わずかな変化でも動画像と判定されてピーク輝度レベルが可変してしまうと、ユーザーに違和感を与えかねないためである。また、このように判定に幅を持たせることで、ゆっくり消えていく等の画面変化時にも強調表示を維持することが可能となる。
【００５１】
一方、動画像と判定された場合、強調動作制御部２３は、標準的な点灯時間割合αを設定する（Ｓ６）。すなわち、β(n) ＝αに設定する。
強調動作制御部２３は、これらの判定処理により設定された点灯時間割合β(n)
にＬレベル長が合致するようにデューティ制御信号Ｓd を生成し、ドライバＩＣブロック１３に出力する。
【００５２】
（Ａ−２）処理動作の内容
以下、前述した機能構成を有する駆動条件制御部５によるピーク輝度レベルの制御動作を具体例に基づいて説明する。
図９に、電源オン直後における階調値と点灯時間割合（デューティ制御信号Ｓd ）の変化を示す。
【００５３】
また図１０に、電源オン直後における階調値と最大階調値に対応する輝度レベルの変化を示す。
なお、図９（Ａ）及び図１０（Ａ）に示す○印は、最大階調値Ｄmax 及び平均階調値Ｄapl の検出タイミングを表している。図中に示すように、検出タイミングは、１〜数フレーム毎の一定間隔に出現する。
【００５４】
まず、時点ｔ０から時点ｔ１までの間の処理動作を説明する。この場合、最大階調値にも平均階調値にも変化がない。図１０（Ｂ）に示すように、黒画面（最大階調値の輝度が０％）が表示されるためである。なお、図１０（Ｂ）では有機ＥＬパネル１１が物理的に出力可能な輝度の最大レベルを１００％として表している。
【００５５】
この期間中、強調動作制御部２３は、表示画像データが静止画像であると判定し、デューティ制御信号Ｓd の点灯時間割合β(n) を初期値である標準的な点灯時間割合αに維持する。図９（Ｂ）でも、この期間の点灯時間割合β(n) が標準的な点灯時間割合αであることが確認される。
【００５６】
次に、時点ｔ１からｔ２までの間の処理動作を説明する。この期間は、強調表示の先頭期間であり、最大階調値Ｄmax と平均階調値Ｄapl の増加が開始される。ただし、最大階調値の差分ΔＤmax が２つ揃っていないので、強調動作制御部２３は、表示画像データが動画像であると判定する。
【００５７】
このため、強調動作制御部２３は、デューティ制御信号Ｓd の点灯時間割合β(n) を標準的な点灯時間割合αに設定する。この結果、図９（Ｂ）に示すように、時点ｔ０からｔ２までの間、点灯時間割合β(n) が標準的な点灯時間割合αに維持される。
なお、最大階調値に対応する輝度レベルは、図１０（Ｂ）に示すように時点ｔ１から徐々に増加を開始する。
【００５８】
次に、時点ｔ２からｔ３までの間の処理動作を説明する。この期間では、強調表示の出現が強調表示制御部２３によって検出される。
この期間では、図９（Ａ）に示す最大階調値Ｄmax の増加に連動して、図９（Ｂ）に示すように点灯時間割合β(n) が徐々に増加する。
【００５９】
図９（Ａ）の場合、最大階調値Ｄmax は 255（８ビット階調）まで増加するので、点灯時間割合β(n) は１００％輝度まで増加する。図９（Ｂ）では、この点灯時間割合β(n) の変化を実線で示している。なお、点線は、標準的な点灯時間割合αを維持する場合の推移を示している。
【００６０】
このように点灯時間割合β(n) が増加するのにつれて、最大階調値の輝度レベルも図１０（Ｂ）に実線で示すように最終的には１００％輝度に達する。なお、図１０（Ｂ）の破線は、点灯時間割合β(n) が標準的な点灯時間割合αに固定される場合の輝度変化を示す。
【００６１】
次に、時点ｔ３からｔ４までの間の処理動作を説明する。この期間では、図９（Ａ）に示すように、最大階調値Ｄmax と平均階調値Ｄapl が一定レベルに維持される。このとき、強調表示制御部２３は、表示画像データが静止画像であると判定する。
【００６２】
この際、強調表示制御部２３は、図９（Ｂ）に示すように点灯時間割合β(n) を時点ｔ３における点灯時間割合（１００％）に維持する。勿論、最大階調値の輝度レベルは、図１０（Ｂ）に実線で示すように１００％輝度を維持する。
【００６３】
次に、時点ｔ４以降の処理動作を説明する。この期間では強調表示が終了し、通常画面の表示が開始される。
すなわち、図９（Ａ）に示すように、最大階調値や平均階調値は逐次変化する状態になる。この状態を検出した強調表示制御部２３は、表示画像データが動画像であると判定する。
【００６４】
このため、図９（Ｂ）に示すように、強調表示制御部２３は、点灯時間割合β(n) を標準的な点灯時間割合αに再設定し、その状態を維持する。なお、点灯時間割合β(n) が標準的な点灯時間割合αに設定されるので、最大階調値の輝度レベルは、図１０（Ｂ）に示すように、α％以下の範囲で可変制御される。
【００６５】
（Ａ−３）形態例の効果
以上説明したように、形態例に係る駆動条件制御部５を適用することにより、浮かび上がるように次第に明るさを増すロゴ映像等の輝度を有機ＥＬパネル１１の性能の範囲でより際立たせることができる。
【００６６】
図１１に、強調表示イメージを示す。図１１（Ａ）は従来型の表示例である。図１１（Ｂ）は形態例に係る技術を適用した場合の表示例である。作図上、輝度の高さは濃淡で表しているが、図１１（Ｂ）に示す表示例の方が２番目と３番目の濃度が薄くなっている。すなわち、コントラスト感や眩しさ感が強調されている。
【００６７】
この強調動作は、図１０（Ｂ）で示したように、強調表示適用後の輝度変化は最大階調値の変化に比例する。従って、ユーザーに違和感を与えることも無い。
結果的に、ロゴ（メーカー名、商品名等を含む。）をユーザーに強く印象付けることができ、宣伝効果を高めることができる。
【００６８】
また、有機ＥＬディスプレイ装置としても、ロゴを高輝度で表示できる付加機能により、競合する他の表示装置に対して優位性を確保できる。
また、最大時には、点灯時間割合β(n) が１フレーム期間の１００％まで拡張されることになるが、ピーク輝度レベルの増加による消費電力の増加期間はわずかな期間であるので消費電力の増加は最小限に留めることができる。従って、商用電源から電源の供給を受ける場合だけでなく、バッテリーで駆動される場合にも十分性能を発揮できる。
【００６９】
（Ｂ）他の形態例
（Ｂ−１）他の強調制御方法
前述した形態例においては、１フレーム期間内の点灯時間割合を制御するデューティ制御信号によりピーク輝度レベルを可変制御する場合について説明した。
しかし、有機ＥＬパネルが本来有する性能を最大限引き出すことができる強調制御方法には他の方法も存在する。
【００７０】
例えば１フレーム期間内の点灯時間は固定とし、データ線ＤＬに印加する電圧値のダイナミックレンジを可変制御することによりピーク輝度レベルを制御する手法を採用しても良い。
図１２に、この種の制御手法を採用する有機ＥＬディスプレイ装置７１の機能構成を示す。なお、図１２は図１との対応部分に同一符号を付して示す。
【００７１】
有機ＥＬディスプレイ装置７１は、有機ＥＬパネルモジュール７３及び駆動条件制御部７５で構成される。
このうち、駆動条件制御部７５は、階調推移監視部２１と強調動作制御部７７とで構成される。強調動作制御部７７は、制御信号がガンマ基準電圧制御信号Ｓγであること以外は、形態例と同じ判定動作及び制御動作を実行する。
【００７２】
図１３に、強調動作制御部７７によるガンマ基準電圧の制御動作を示す。図１３（Ｂ）が、ガンマ基準電圧の変化を表している。図１３（Ａ）は、電源オン直後における階調値とデューティ制御信号Ｓd の変化である。
なお、図１３（Ｂ）は、可変可能なガンマ基準電圧の最大範囲を１００％として表すと共に、標準的に使用されるガンマ基準電圧の設定値をα％として表している。
【００７３】
一方、有機ＥＬパネルモジュール７３は、有機ＥＬパネル１１とドライバＩＣブロック８１で構成される。
ドライバＩＣブロック８１は、ガンマ基準電圧制御信号Ｓγに基づいてデータ線ドライバ３３の出力段に位置するディジタル／アナログ変換回路に印加するガンマ基準電圧を発生するガンマ基準電圧発生器８３を搭載する点を除き、図４に示す回路構成と同じである。もっとも、電圧発生器８３は、ドライバＩＣブロック７３の外に配置することもできる。
【００７４】
図１４に、ドライバＩＣブロック８１の内部構成例を示す。また、図１５に、ガンマ基準電圧発生器８３とデータ線ドライバ３３との接続関係を示す。
図１５に示すように、データ線ドライバ３３は、画素の配列順にシリアル入力される表示画像データを対応するデータ線に分配するシフトレジスタ９１と、各データ線を出力先とするデータ線用のＤ／Ａ変換回路９３とで構成される。
【００７５】
データ線用のＤ／Ａ変換回路９３には、ガンマ基準電圧発生器８３内のガンマ基準電圧発生用のＤ／Ａ変換回路９５で発生されたガンマ基準電圧が供給される。このガンマ基準電圧は、データ線用のＤ／Ａ変換回路９３から出力されるアナログ電圧のダイナミックレンジを規定する電圧である。
【００７６】
勿論、ダイナミックレンジが広いほど、有機ＥＬ素子Ｄに流れる駆動電流の最大値が大きくなり、その分、高い輝度で有機ＥＬ素子Ｄを光らせることができる。
このような制御手法を採用しても、形態例と同じ効果を得ることが可能である。
【００７７】
（Ｂ−２）強調画面の他の検出方法
前述した形態例においては、最大階調値の差分値に基づいて強調画面の出現を判定する場合について説明した。
しかし、強調画面の出現事態は、外部のアプリケーションから与えられる方式を採用しても良い。
【００７８】
図１６に、この種の手法に対応する有機ＥＬディスプレイ装置１０１の構成例を示す。なお、図１６は、図１との対応部分に同一符号を付して現している。
この有機ＥＬディスプレイ装置１０１は、有機ＥＬパネルモジュール３及び駆動条件制御部１０３で構成される。
【００７９】
駆動条件制御部１０３は、強調画面の表示中におけるピーク輝度レベルを最大階調値の変化に連動させるための階調遷移監視部１０５と、強調画面の出現を外部アプリケーションからの情報により実行する強調動作制御部１０７とで構成する。
【００８０】
すなわち、強調動作制御部１０７は、図８の判定処理Ｓ１及びＳ２に対応する判定処理をアプリケーション情報に基づいて実行する。アプリケーション情報では、例えばロゴの表示、コンテンツのオープニング画面の表示その他の情報が与えられる。
なお、階調遷移監視部１０５には、強調動作制御部１０７でピーク輝度レベルの維持判定を可能とするための平均階調値の変化を検出する機能も搭載する。
【００８１】
（Ｂ−３）画素構造
前述の形態例においては、図２に示す画素構造を例示した。
しかし、画素構造はこれに限らない。例えば図１７に示すように、電流ドライブ素子Ｔ２をＮチャネル型のＦＥＴとし、キャパシタＣを電流ドライブ素子Ｔ２のゲート電極とドレイン電極の間に接続しても良い。
【００８２】
（Ｂ−４）製品例
（ａ）ドライブＩＣ
前述した有機ＥＬディスプレイ装置（有機ＥＬパネルモジュール及び駆動条件制御部）は、いずれも１つのパネル上に形成することもできるが、処理回路部分と画素マトリクスとを別々に製造し、流通することもできる。
【００８３】
例えば、ドライバＩＣブロックや駆動条件制御部はそれぞれ独立したドライブＩＣ（integrated
circuit）として製造し、有機ＥＬパネルとは独立に流通することもできる。勿論、ドライバＩＣブロックと駆動条件制御部とで１つのドライブＩＣを構成することもできる。
【００８４】
（ｂ）表示モジュール
前述した形態例における有機ＥＬディスプレイ装置は、図１８に示す外観構成を有する表示モジュール１１１の形態で流通することもできる。
表示モジュール１１１は、支持基板１１５の表面に対向部１１３を貼り合わせた構造を有している。対向部１１３は、ガラスその他の透明部材を基材とし、その表面にはカラーフィルタ、保護膜、遮光膜等が配置される。
【００８５】
なお、表示モジュール１１１には、外部から支持基板１１５に信号等を入出力するためのＦＰＣ（フレキシブルプリントサーキット）１１７等が設けられていても良い。
【００８６】
（ｃ）電子機器
前述した形態例における有機ＥＬディスプレイ装置は、電子機器に実装された商品形態でも流通される。
図１９に、電子機器１２１の概念構成例を示す。電子機器１２１は、前述した有機ＥＬディスプレイ装置１２３及びシステム制御部１２５で構成される。システム制御部１２５で実行される処理内容は、電子機器１２１の商品形態により異なる。
【００８７】
なお、電子機器１２１は、機器内で生成される又は外部から入力される画像や映像を表示する機能を搭載していれば、特定の分野の機器には限定されない。
この種の電子機器１２１には、例えばテレビジョン受像機が想定される。図２０に、テレビジョン受像機１３１の外観例を示す。
【００８８】
テレビジョン受像機１３１の筐体正面には、フロントパネル１３３及びフィルターガラス１３５等で構成される表示画面１３７が配置される。表示画面１３７の部分が、形態例で説明した有機ＥＬディスプレイ装置に対応する。
【００８９】
また、この種の電子機器１２１には、例えばデジタルカメラが想定される。図２１に、デジタルカメラ１４１の外観例を示す。図２１（Ａ）が正面側（被写体側）の外観例であり、図２１（Ｂ）が背面側（撮影者側）の外観例である。
【００９０】
デジタルカメラ１４１は、撮像レンズ（図２１は保護カバー１４３が閉じた状態であるので、保護カバー１４３の裏面側に配置される。）、フラッシュ用発光部１４５、表示画面１４７、コントロールスイッチ１４９及びシャッターボタン１５１で構成される。このうち、表示画面１４７の部分が、形態例で説明した有機ＥＬディスプレイ装置に対応する。
【００９１】
また、この種の電子機器１２１には、例えばビデオカメラが想定される。図２２に、ビデオカメラ１６１の外観例を示す。
ビデオカメラ１６１は、本体１６３の前方に被写体を撮像する撮像レンズ１６５、撮影のスタート／ストップスイッチ１６７及び表示画面１６９で構成される。このうち、表示画面１６９の部分が、形態例で説明した有機ＥＬディスプレイ装置に対応する。
【００９２】
また、この種の電子機器１２１には、例えば携帯端末装置が想定される。図２３に、携帯端末装置としての携帯電話機１７１の外観例を示す。図２３に示す携帯電話機１７１は折りたたみ式であり、図２３（Ａ）が筐体を開いた状態の外観例であり、図２３（Ｂ）が筐体を折りたたんだ状態の外観例である。
【００９３】
携帯電話機１７１は、上側筐体１７３、下側筐体１７５、連結部（この例ではヒンジ部）１７７、表示画面１７９、補助表示画面１８１、ピクチャーライト１８３及び撮像レンズ１８５で構成される。このうち、表示画面１７９及び補助表示画面１８１の部分が、形態例で説明した有機ＥＬディスプレイ装置に対応する。
【００９４】
また、この種の電子機器１２１には、例えばコンピュータが想定される。図２４に、ノート型コンピュータ１９１の外観例を示す。
ノート型コンピュータ１９１は、下型筐体１９３、上側筐体１９５、キーボード１９７及び表示画面１９９で構成される。このうち、表示画面１９９の部分が、形態例で説明した有機ＥＬディスプレイ装置に対応する。
【００９５】
これらの他、電子機器１２１には、オーディオ再生装置、ゲーム機、電子ブック、電子辞書等が想定される。
【００９６】
（Ｂ−５）他の表示デバイス例
形態例の説明においては、駆動条件制御部を有機ＥＬディスプレイ装置に搭載する場合について説明した。
しかし、駆動条件制御部は、その他の自発光表示装置にも適用することができる。例えば無機ＥＬディスプレイ装置、ＬＥＤを配列する表示装置、ＦＥＤディスプレイ装置やＰＤＰディスプレイ装置等にも適用できる。
【００９７】
（Ｂ−６）制御デバイス構成
前述の説明では、駆動条件制御部をハードウェア的に実現する場合について説明した。
しかし、駆動条件制御部の一部又は全部は、ソフトウェア処理として実現することができる。
【００９８】
（Ｂ−７）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００９９】
【図１】有機ＥＬディスプレイ装置の機能構成例を示す図である。
【図２】画素構造を説明する図である。
【図３】デューティ制御信号の波形を説明する図である。
【図４】有機ＥＬパネルモジュールの内部構成例を示す図である。
【図５】階調推移監視部の内部構成例を示す図である。
【図６】最大階調値推移監視部の内部構成例を示す図である。
【図７】平均階調値推移監視部の内部構成例を示す図である。
【図８】強調動作制御部で実行される判定処理手順例を示す図である。
【図９】強調画面出現時の駆動制御を説明する図である。
【図１０】強調表示制御に伴う画面輝度の変化を説明する図である。
【図１１】表示画面例を示す図である。
【図１２】有機ＥＬディスプレイ装置の他の機能構成例を示す図である。
【図１３】強調画面出現時の駆動制御を説明する図である。
【図１４】有機ＥＬパネルモジュールの内部構成例を示す図である。
【図１５】ガンマ基準電圧発生器とデータ線ドライバとの接続関係を説明する図である。
【図１６】有機ＥＬディスプレイ装置の他の機能構成例を示す図である。
【図１７】他の画素構造を示す図である。
【図１８】表示モジュールの構成例を示す図である。
【図１９】電子機器の機能構成例を示す図である。
【図２０】電子機器の商品例を示す図である。
【図２１】電子機器の商品例を示す図である。
【図２２】電子機器の商品例を示す図である。
【図２３】電子機器の商品例を示す図である。
【図２４】電子機器の商品例を示す図である。
【符号の説明】
【０１００】
１          有機ＥＬディスプレイ装置
５          駆動条件制御部
２１        階調推移監視部
２３        強調動作制御部
４１        最大階調値推移監視部
４３        平均階調値推移監視部
【図１】
2008158400.tif 000003
【図２】
2008158400.tif 000004
【図３】
2008158400.tif 000005
【図４】
2008158400.tif 000006
【図５】
2008158400.tif 000007
【図６】
2008158400.tif 000008
【図７】
2008158400.tif 000009
【図８】
2008158400.tif 000010
【図９】
2008158400.tif 000011
【図１０】
2008158400.tif 000012
【図１２】
2008158400.tif 000013
【図１３】
2008158400.tif 000014
【図１４】
2008158400.tif 000015
【図１５】
2008158400.tif 000016
【図１６】
2008158400.tif 000017
【図１７】
2008158400.tif 000018
【図１８】
2008158400.tif 000019
【図１９】
2008158400.tif 000020
【図２０】
2008158400.tif 000021
【図２１】
2008158400.tif 000022
【図２２】
2008158400.tif 000023
【図２３】
2008158400.tif 000024
【図２４】
2008158400.tif 000025
【図１１】
2008158400.tif 000026